(57)【要約】【課題】  ダイクロイックミラー面内での入射角依存性による照度の偏り位置を調整することのできる光源装置と、当該光源装置を備えたプロジェクタを提供する。【解決手段】  プロジェクタは、光源装置63と、表示素子と、冷却ファンと、前記光源装置63からの光を前記表示素子に導光する光源側光学系と、前記表示素子から射出された画像をスクリーンに投影する投影側光学系と、前記光源装置63や表示素子を制御するプロジェクタ制御手段と、を備えるものである。そして、前記光源装置63は、所定の波長帯域光を発する複数の光源151と、この各光源151から発せられた光を集光すると共に各光源151から発せられた所定の波長帯域光を反射又は透過させて合成するダイクロイックミラー141を有する集光光学系と、前記各光源151を各々移動又は回動させる調整装置と、を備えているものとする。【選択図】      図８
2009237455.tif 000002
【特許請求の範囲】
【請求項１】
所定の波長帯域光を発する複数の光源と、
この各光源から発せられた光を集光すると共に各光源からの所定の波長帯域光を反射又は透過させて合成するダイクロイックミラーを有する集光光学系と、
前記各光源を各々移動又は回動させる調整装置と、を備えていることを特徴とする光源装置。
【請求項２】
所定の波長帯域光を発する複数の光源と、
この各光源から発せられた光を集光すると共に各光源からの所定の波長帯域光を反射又は透過させて合成するダイクロイックミラーを有する集光光学系と、を備え、
前記各光源は、前記集光光学系の光軸から所定の距離だけずらした位置又は前記集光光学系の光軸と当該光源の光軸とを所定の角度で交差させた状態に配設されていることを特徴とする光源装置。
【請求項３】
前記各光源は、発光ダイオードとすることを特徴とする請求項１又は請求項２に記載の光源装置。
【請求項４】
前記各光源は、レーザー発光器とすることを特徴とする請求項１又は請求項２に記載の光源装置。
【請求項５】
前記各光源は、レーザーアレイとすることを特徴とする請求項１又は請求項２に記載の光源装置。
【請求項６】
光源装置と、表示素子と、冷却ファンと、前記光源装置からの光を前記表示素子に導光する光源側光学系と、前記表示素子から射出された画像をスクリーンに投影する投影側光学系と、前記光源装置や表示素子を制御するプロジェクタ制御手段と、を備え、
前記光源装置が、請求項１乃至請求項５の何れかに記載の光源装置であることを特徴とするプロジェクタ。
【発明の詳細な説明】
【技術分野】
【０００１】
本発明は、光源装置及び当該光源装置を内蔵するプロジェクタに関する。
【背景技術】
【０００２】
今日、パーソナルコンピュータの画面やビデオ画像、更にメモリカード等に記憶されている画像データによる画像等をスクリーンに投影する画像投影装置としてのプロジェクタが多用されている。このプロジェクタは、光源から射出された光をＤＭＤ（デジタル・マイクロミラー・デバイス）と呼ばれる表示素子、又は、液晶板に集光させ、スクリーン上にカラー画像を表示させるものである。
【０００３】
このようなプロジェクタに用いられる光源としては、従来小型高輝度のメタルハライドランプや超高圧水銀ランプ等が主流であったが、近年、光源として赤、緑、青の発光ダイオードや有機ＥＬ等の固体発光素子を用いるための開発がなされている。そして、プロジェクタから投影される画像を明瞭に表示すべく、照度の向上や色むらの改善を図るための様々な提案がなされている。
【０００４】
例えば、特開平９−１６００１７号公報（特許文献１）では、光源から発した光をダイクロイックミラー又はダイクロイックプリズムで赤、緑、青の三原色光に分離し、映像変調手段により映像に変調された光をダイクロイックミラー又はダイクロイックプリズムで合成し、投写レンズによりスクリーン上に映し出す投写型映像表示装置において、三原色の少なくとも二色が重複している光路に、各色波長の境界部分を除去する特性を持つフィルタを配する投写型映像表示装置の提案がなされている。
【特許文献１】特開平９−１６００１７号公報
【発明の開示】
【発明が解決しようとする課題】
【０００５】
この特許文献１の提案は、光源から発せられる光がダイクロイックミラーに入射し、ダイクロイックミラー面内での入射角依存性による分光特性のシフトが起こった際、そのシフト分を特殊なフィルタにより取り除いて、赤、緑、青の分光特性を変化させずに合成し、投写レンズによりスクリーン上に画像を投影しているため、フィルタにより除去された波長帯域光が不要光となってしまうといった問題点があった。又、プロジェクタの光学系に各色波長の境界部分を除去するために、特殊なフィルタを配設する必要があるといった問題点もあった。
【０００６】
又、光源として複数個の発光ダイオードを面光源として用いる場合、光源から射出される光束を無偏光で集光するため、ダイクロイックミラーによる特性の影響を受けやすいという問題点がある。これにより、特に発光ダイオード等の固体発光素子を面光源として用いる場合における投影画像の照度の向上が要望されている。
【０００７】
本発明は、このような従来技術の問題点に鑑みてなされたものであり、各光源を各々移動又は回動させる調整装置を備えることにより、ダイクロイックミラー面内での入射角依存性による照度の偏り位置を調整することができるため、投影画像をむらの少ない明瞭なものとすることができる光源装置と、当該光源装置を備えたプロジェクタを提供することを目的としている。
【課題を解決するための手段】
【０００８】
本発明の光源装置は、所定の波長帯域光を発する複数の光源と、この各光源から発せられた光を集光すると共に各光源からの所定の波長帯域光を反射又は透過させて合成するダイクロイックミラーを有する集光光学系と、前記各光源を各々移動又は回動させる調整装置と、を備えているものである。
【０００９】
そして、本発明の光源装置は、所定の波長帯域光を発する複数の光源と、この各光源から発せられた光を集光すると共に各光源からの所定の波長帯域光を反射又は透過させて合成するダイクロイックミラーを有する集光光学系と、を備え、前記各光源は、前記集光光学系の光軸から所定の距離だけずらした位置又は前記集光光学系の光軸と当該光源の光軸とを所定の角度で交差させた状態に配設されていることもある。
【００１０】
又、前記各光源は、発光ダイオードとするものである。
【００１１】
そして、前記各光源は、レーザー発光器とすることもある。
【００１２】
又、前記各光源は、レーザーアレイとすることもある。
【００１３】
そして、本発明のプロジェクタは、光源装置と、表示素子と、冷却ファンと、前記光源装置からの光を前記表示素子に導光する光源側光学系と、前記表示素子から射出された画像をスクリーンに投影する投影側光学系と、前記光源装置や表示素子を制御するプロジェクタ制御手段と、を備え、光源装置が、前述の光源装置であることを特徴とするものである。
【発明の効果】
【００１４】
本発明によれば、各光源を各々移動又は回動させる調整装置を備えることにより、ダイクロイックミラー面内での入射角依存性による照度の偏り位置を調整することができるため、投影画像をむらの少ない明瞭なものとすることができる光源装置と、当該光源装置を備えたプロジェクタを提供することができる。
【発明を実施するための最良の形態】
【００１５】
本発明を実施するための最良の形態のプロジェクタ10は、光源装置63と、表示素子51と、冷却ファンと、前記光源装置63からの光を前記表示素子51に導光する光源側光学系61と、前記表示素子51から射出された画像をスクリーンに投影する投影側光学系62と、前記光源装置63や表示素子51を制御するプロジェクタ制御手段と、を備えるものである。
【００１６】
この光源装置63は、所定の波長帯域光を発する複数の光源151と、この各光源151から発せられた光を集光すると共に各光源151から発せられた所定の波長帯域光を反射又は透過させて合成するダイクロイックミラー141を有する集光光学系と、前記各光源151を各々移動又は回動させる調整装置と、を備えているものである。
【００１７】
そして、前記各光源151は、発光ダイオード又はレーザー発光器又はレーザーアレイとするものである。
【実施例】
【００１８】
以下、本発明の実施例を図に基づいて詳説する。本発明の実施例に係るプロジェクタ10は、図１に示すように、略直方体形状であって、本体ケースの前方の側板とされる前面パネル12の側方に投影口を覆うレンズカバー19を有すると共に、この前面パネル12には複数の排気孔17を設けている。更に、図示しないがリモートコントローラからの制御信号を受信するＩｒ受信部を備えている。
【００１９】
又、本体ケースである上面パネル11にはキー／インジケータ部37を設けるものであり、このキー／インジケータ部37には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータを設けるものである。
【００２０】
更に、本体ケースの背面には、背面パネルにＵＳＢ端子や画像信号入力用のＤ−ＳＵＢ端子、Ｓ端子、ＲＣＡ端子等を設ける入出力コネクタ部及び電源アダプタプラグ等の各種端子20を設けているものである。
【００２１】
尚、図示しない本体ケースの側板である右側パネル、及び、図１に示した側板である左側パネル15の下部近傍には、各々複数の吸気孔18を設けているものである。
【００２２】
そして、このプロジェクタ10のプロジェクタ制御手段は、図２に示すように、制御部38、入出力インターフェース22、画像変換部23、表示エンコーダ24、表示駆動部26等を有するものであって、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に送られるものである。
【００２３】
又、表示エンコーダ24は、送られてきた画像信号をビデオＲＡＭ25に展開記憶させた上でこのビデオＲＡＭ25の記憶内容からビデオ信号を生成して表示駆動部26に出力するものである。
【００２４】
そして、表示エンコーダ24からビデオ信号が入力される表示駆動部26は、送られてきた画像信号に対応して適宜フレームレートで空間的光変調素子（ＳＯＭ）である表示素子51を駆動するものであり、光源装置63から射出された光線束を光源側光学系を介して表示素子51に入射することにより、表示素子51の反射光で光像を形成し、投影側光学系とする投影側レンズ群を介して図示しないスクリーンに画像を投影表示するものであり、この投影側光学系の可動レンズ群97は、レンズモータ45によりズーム調整やフォーカス調整のための駆動が行われるものである。
【００２５】
又、画像圧縮伸長部31は、画像信号の輝度信号及び色差信号をＡＤＴＣ及びハフマン符号化等の処理によりデータ圧縮して着脱自在な記録媒体とされるメモリカード32に順次書き込む記録処理や、再生モード時はメモリカード32に記録された画像データを読み出し、一連の動画を構成する個々の画像データを１フレーム単位で伸長して画像変換部23を介して表示エンコーダ24に送り、メモリカード32に記憶された画像データに基づいて動画等の表示を可能とするものである。
【００２６】
そして、制御部38は、プロジェクタ10内の各回路の動作制御を司るものであって、ＣＰＵや各種セッティング等の動作プログラムを固定的に記憶したＲＯＭ及びワークメモリとして使用されるＲＡＭ等により構成されている。
【００２７】
又、本体ケースの上面パネル11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に送られるものである。
【００２８】
尚、制御部38にはシステムバス（ＳＢ）を介して音声処理部47が接続されており、音声処理部47はＰＣＭ音源等の音源回路を備え、投影モード及び再生モード時には音声データをアナログ化し、スピーカ48を駆動して拡声放音させることができるものである。
【００２９】
又、この制御部38は、光源制御回路41を制御するものであり、画像信号に応じて赤色光源、緑色光源、青色光源を時分割制御している。更に、冷却ファン駆動制御回路43には、光源装置63等に設けた複数の温度センサーによる温度検出を行わせて、冷却ファンの回転速度を制御させ、又、タイマー等によりプロジェクタ本体の電源ＯＦＦ後も冷却ファンの回転を持続させるものであり、更に、温度センサーによる温度検出の結果によってはプロジェクタ本体の電源をＯＦＦにする等の制御も行うものである。
【００３０】
そして、これらのＲＯＭ、ＲＡＭ、ＩＣや回路素子は、図３に示す主制御基板としての制御回路基板103や電源回路ブロック101に組み込まれ、制御系の主制御基板とした制御回路基板103と電力系の電源回路ブロック101等が取付けられる光源制御回路基板102とを分けて形成しているものである。
【００３１】
このプロジェクタ10の内部構造は、図３に示したように、電源回路ブロック101等を取付けた光源制御回路基板102を右側パネル14の近傍に配置し、筐体内を区画用隔壁120により背面パネル13側の吸気側空間室121と前面パネル12側の排気側空間室122とに気密に区画している。そして、冷却ファンとするシロッコファンタイプのブロア110を、吸込み口111が吸気側空間室121に位置し排気側空間室122と吸気側空間室121の境界に吐出口113が位置するように配置しているものである。
【００３２】
又、排気側空間室122内には、光源装置63と、該光源装置63からの射出光を表示素子51に導光する光学ユニットの一つである導光装置75と、排気温低減装置114とが配置されているものである。
【００３３】
そして、光学ユニットブロック77は、光源装置63の近傍に位置する照明側ブロック78と、画像生成ブロック79と、投影側ブロック80との３つのブロックから構成され、左側パネル15に沿って配置されているものである。
【００３４】
照明側ブロック78は、光源装置63から射出された光を画像生成ブロック79が備える表示素子51に導光する光源側光学系61の一部を備え、照明側ブロック78が有する光源側光学系61としては、光源装置63から射出された光線束を均一な強度分布の光束とする導光装置75や、導光装置75を透過した光を集光する集光レンズ等がある。
【００３５】
又、画像生成ブロック79は、導光装置75から射出された光の向きを変更する光軸変更ミラー74と、この光軸変更ミラー74により反射した光を表示素子51に集光させる複数枚のレンズで形成した光源側レンズ群83及び光源側レンズ群83を透過した光を表示素子51に所定の角度で照射する照射ミラー84等を光源側光学系61として有している。そして、画像生成ブロック79は、表示素子51も備えており、表示素子51としてはＤＭＤを採用している。更に、この表示素子51の背面パネル13側には表示素子51を冷却するための表示素子冷却装置53が配置され、表示素子51が高温となることを防止している。
【００３６】
又、投影側ブロック80は、表示素子51で反射されて画像を形成する光をスクリーンに放出する投影側光学系62のレンズ群を有し、投影側光学系62としては、固定鏡筒に内蔵する固定レンズ群93と可動鏡筒に内蔵する可動レンズ群97とを備えてズーム機能を備えた可変焦点型レンズとしているものであり、光学ユニットブロック77と左側パネル15の間に配置された光学系制御基板86により前述したレンズモータ45を制御して可動レンズ群97を光軸に沿って移動させ、ズーム調整やフォーカス調整を可能としているものである。
【００３７】
そして、本発明に係る光源装置63は、所定の波長帯域光を発する複数の光源151と、この複数の光源151から各々発せられた光を集光する集光光学系と、各光源151を各々移動又は回動させる調整装置と、を備えるものであり、光源151としては、赤の波長帯域光を生成する赤色光源151Rと、緑の波長帯域光を生成する緑色光源151Gと、青の波長帯域光を生成する青色光源151Bとを備え、赤色光源151Rは、前面パネル12の近傍において当該赤色光源151Rの光軸が前面パネル12と平行となるように配置され、緑色光源151Gは、該緑色光源151Gの光軸が赤色光源151Rの光軸と平行となるように赤色光源151Rよりも背面パネル13側に配置され、青色光源151Bは、更に背面パネル13側であって緑色光源151Gの光軸と当該青色光源151Bの光軸とが直交するように配置されているものである。
【００３８】
又、光源装置63は、図４に示すように、所定の波長帯域光を反射又は透過させて合成するダイクロイックミラー141及び光源151から射出され導光装置75へ入射する光線束を集光する集光レンズ等により構成される集光光学系を備えている。
【００３９】
この集光光学系は、赤色光源151Rから射出された赤の波長帯域光を導光装置75の光軸方向と同一の光軸方向となるように反射する反射ミラー142と、緑色光源151Gから射出された緑の波長帯域光を透過し、青色光源151Bから射出された青の波長帯域光を緑色光源151Gの光軸方向と同一の光軸方向となるように反射する第一ダイクロイックミラー141bと、反射ミラー142によって反射した赤の波長帯域光を透過し、第一ダイクロイックミラー141bを透過した緑の波長帯域光並びに第一ダイクロイックミラー141bによって反射した青の波長帯域光を導光装置75の光軸方向と同一の光軸方向となるように反射する第二ダイクロイックミラー141cと、各色光源151から射出された光を集光する集光レンズ群148と、反射ミラー142及び第一ダイクロイックミラー141bを介して第二ダイクロイックミラー141bに入射する光を集光する集光レンズ163と、第二ダイクロイックミラー141cを介して導光装置75に入射する光を集光する集光レンズ164と、を備えるものである。
【００４０】
そして、この反射ミラー142は、赤色光源151Rと導光装置75の光軸とが交差する位置において該光軸とのなす角が４５度となるように配置され、第一ダイクロイックミラー141bは、緑色光源151Gと青色光源151Bの光軸が交差する位置において該光軸とのなす角が４５度となるように配置され、第二ダイクロイックミラー141cは、緑色光源151Gと導光装置75の光軸が交差する位置において該光軸とのなす角が４５度となるように配置されているものである。
【００４１】
又、赤色光源151Rからの射出光を集光する第一集光レンズ群148aは、該第一集光レンズ群148aの光軸が赤色光源151Rの光軸と一致するように赤色光源151Rと反射ミラー142との間に配置され、緑色光源151Gからの射出光を集光する第二集光レンズ群148bは、該第二集光レンズ群148bの光軸が緑色光源151Gの光軸と一致するように緑色光源151Gと第一ダイクロイックミラー141bとの間に配置され、青色光源151Bからの射出光を集光する第三集光レンズ群148cは、該第三集光レンズ群148cの光軸が青色光源151Bの光軸と一致するように青色光源151Bと第一ダイクロイックミラー141bとの間に配置されるものである。
【００４２】
そして、反射ミラー142を介して第二ダイクロイックミラー141cに入射する光を集光する第一集光レンズ163aは、該第一集光レンズ163aの光軸が導光装置75の光軸と一致するように反射ミラー142と第二ダイクロイックミラー141cとの間に配置され、第一ダイクロイックミラー141bを介して第二ダイクロイックミラー141cに入射する光を集光する第二集光レンズ163bは、該第二集光レンズ163bの光軸が緑色光源151Gの光軸と一致するように第一ダイクロイックミラー141bと第二ダイクロイックミラー141cとの間に配置されるものである。又、第二ダイクロイックミラー141cを介して導光装置75に入射する光を集光する集光レンズ164は、該集光レンズ164の光軸が導光装置75の光軸と一致するように第二ダイクロイックミラー141cと導光装置75との間に配置されるものである。
【００４３】
そして、この赤、緑、青の波長帯域光を生成する各色光源151は、プロジェクタ制御手段によって時分割制御される所要個数の発光ダイオードであって、背面と背面の外周縁から立ち上がる縁部とから形成される光源保持具により保持され、各色光源151からの射出光を集光する集光レンズ群148側である前面に透明なガラス又は樹脂等により形成された矩形平板状の透明カバーが覆設されて集光レンズ群148側である一方へ光を射出するものである。
【００４４】
そして、図示していないが各色光源151は、微調整ねじにより水平方向と垂直方向に平行移動可能に保持されているものである。又、光源保持具は僅かに射出光の向きを変更調整可能とするものである。
【００４５】
このように、各色光源151と集光光学系を配置することで、赤色光源151Rからの射出光は、透明カバーを透過し第一集光レンズ群148aにより集光されて反射ミラー142に照射され、反射ミラー142で反射した後、第一集光レンズ163aにより集光され第二ダイクロイックミラー141cに入射し、該第二ダイクロイックミラー141cを透過した後、集光レンズ164によって導光装置75の入射面に集光されることとなる。
【００４６】
又、緑色光源151Gからの射出光は、透明カバーを透過し第二集光レンズ群148bにより集光されて第一ダイクロイックミラー141bに入射し、第一ダイクロイックミラー141bを透過した後、第二集光レンズ163bにより集光されて第二ダイクロイックミラー141cに照射され、第二ダイクロイックミラー141cで反射した後、集光レンズ164によって導光装置75の入射面に集光されることとなる。
【００４７】
そして、青色光源151Bからの射出光は、透明カバーを透過し第三集光レンズ群148cにより集光されて第一ダイクロイックミラー141bに照射され、第一ダイクロイックミラー141bで反射した後、第二集光レンズ163bにより集光されて第二ダイクロイックミラー141cに照射され、第二ダイクロイックミラー141cで反射した後、集光レンズ164によって導光装置75の入射面に集光されることとなる。
【００４８】
このように緑色及び青色光源151G,151Bから射出される各色の波長帯域光は、光源151から導光装置75に入射される光の光路を模式的に表した図５及び図６に示すように、第一ダイクロイックミラー141bを透過又は反射し、第二集光レンズ163bを透過した後、第二ダイクロイックミラー141cを透過又は反射して全てが光軸を合わせるように合成されて導光装置75に入射する。ここで、図６（ａ）、（ｂ）に示したＡ〜Ｆ点は、図５に示した第一及び第二ダイクロイックミラー141b,141cへの入射位置を模式的に表したものである。
【００４９】
そして、光源151の中心から射出され導光装置75に入射する光線束の一端である軸上上限光線L1は、第一ダイクロイックミラー141bのＢ点に４５度以下の入射角α１で入射し、第二ダイクロイックミラー141cのＥ点に４５度以上の入射角β１で入射する。又、光源151の中心から射出され、導光装置75に入射する光線束の他端である軸上下限光線L2は、第一ダイクロイックミラー141bのＣ点に４５度以上の入射角α２で入射し、第二ダイクロイックミラー141cのＦ点に４５度以下の入射角β２で入射する。
【００５０】
そして、光源151は平面光源であるため、平面上のあらゆる位置から光が射出され、それぞれが異なる角度の入射角でダイクロイックミラー141に入射することとなる。例えば、光源151の外縁近傍から射出され、導光装置75に入射する光線束の一端である軸外上限光線L3は、第一ダイクロイックミラー141bのＢ点に入射角α１よりも小さい入射角α１’で入射し、第二ダイクロイックミラー141cのＥ点に入射角β１よりも小さい入射角β１’で入射する。
【００５１】
又、光源151の外縁近傍から射出され、導光装置75に入射する光線束の他端である軸外下限光線L4は、第一ダイクロイックミラー141bのＣ点に入射角α２よりも小さい入射角α２’で入射し、第二ダイクロイックミラー141cのＦ点に入射角β２よりも小さい入射角β２’で入射する。更に、光源151の外縁近傍から射出され、導光装置75に入射する光線束の主光線L5は、光源151及び導光装置75の光軸とダイクロイックミラー141のなす角であるθ（＝４５度）よりも小さい入射角θ’でダイクロイックミラー141のＡ点及びＤ点に入射する。
【００５２】
即ち、ダイクロイックミラー141へ入射する光線の入射角は、ダイクロイックミラー141の入射位置によって異なるものであり、更に、その光線束は光源151の平面上のあらゆる位置から出射していることから、ダイクロイックミラー141における同位置においても、異なる出射位置から射出される光が様々な入射角で入射してくることとなる。
【００５３】
そして、ダイクロイックミラー141へ入射し、透過又は反射した光線は、ダイクロイックミラー141の入射角によって、透過又は反射する波長帯域がダイクロイックミラー141の特性により変化する。具体的には、ダイクロイックミラー141へ入射する光の入射角が４５度よりも小さくなると、透過又は反射する波長帯域が短波長側へシフトし、入射角が４５度よりも大きくなると透過又は反射する波長帯域が長波長側へシフトする。尚、このシフトする波長帯の幅もダイクロイックミラー141に依存するものである。
【００５４】
そして、赤色光源151Rから射出される赤の波長帯域光は、反射ミラー142で反射した後、第二ダイクロイックミラー141cに入射し、該第二ダイクロイックミラー141cを透過した後、導光装置75に集光されているため、一つのダイクロイックミラー141を透過する際に、前述の緑及び青の波長帯域光と同様にダイクロイックミラー141の特性の影響を受けることとなる。
【００５５】
このように、各色光源151から射出された光がダイクロイックミラー141を透過又は反射する際にダイクロイックミラー141の特性の影響を受け、これらの全ての光が光軸を合わせるように合成されて導光装置75に入射するため、結果的にダイクロイックミラー141を介して導光装置75へ入射する光の照度の高い部分が、図７に示すように、導光装置75の中心ではなく、一方へ偏ることとなる。ここで、図７（ａ）は、導光装置75の入射面における照度分布図であり、図７（ｂ）は、導光装置75の入射面中心線上の照度分布図であり、このダイクロイックミラー141の入射角依存性による導光装置75の入射面における照度の偏り位置については、正確な予測が困難である。
【００５６】
そこで、本発明に係る光源装置63は、各光源151を各々移動又は回動させる調整装置を備えることにより、照度の高い部分が導光装置75の入射面の略中央となるように、各光源151を各々移動又は回動することにより調整可能な構成とするものである。この調整装置は、例えば、微調整ねじ等により、図８（ａ）に示すように、光源151が集光光学系の光軸から所定の距離だけずれるように該光源151の光軸と直交する方向に光源151を平行移動させることができるもの、或いは、図８（ｂ）に示すように、光源保持具を軸着することにより僅かに射出光の向きを変更調整可能とするものであって、集光光学系の光軸と当該光源151の光軸とが所定の角度で交差するように光源151を回動することができるものである。
【００５７】
そして、これらの調整装置は、各色の光源151に備えられているため、導光装置75の入射面の照度分布に応じて、照度の高い部分が導光装置75の入射面中央に位置することとなるように各調整装置により各色光源151の位置を調整することができるものである。
【００５８】
このように、光源装置63に各光源151を各々移動又は回動させる調整装置を備えることにより、導光装置75へ照射される光線束の照度の高い部分が導光装置75入射面の中央となるように、調整することができるため、導光装置75の集光効率を向上させることができ、プロジェクタ10から投影される画像を明るく且つむらの少ない明瞭なものとすることができる。又、集光効率の向上は導光装置75の縮小化に寄与するため、コスト低減を図ることもできる。
【００５９】
そして、各光源151は、集光光学系の光軸から所定の距離だけずらした位置、又は、集光光学系の光軸と光源151の光軸とを所定の角度で交差させた状態に予め配設することにより、調整装置を省略することができ、更にコストを低減することもできる。この調整装置の省略は、例えば、同一製品を大量生産する際、試験用製品の試験結果に基づき、光源151を配置すべき位置又は角度を予め決定しておくことにより、実現することができ、好適である。
【００６０】
又、光源151を発光ダイオードとすることにより、従来の放電ランプ等を光源装置とするプロジェクタに比べて、電力消費を抑えることができると共に小型化を図ることができる。
【００６１】
更に、光源151をレーザー発光器とすることにより、指向性の向上によりダイクロイックミラー141の入射角依存性に起因する照度の偏りを抑制させると共に光量を増加させることもでき、光源151をレーザーアレイとすることで、より光量を増加させてスクリーンに投影される画像の照度を上げることもできる。
【００６２】
尚、本発明は、以上の実施例に限定されるものでなく、発明の要旨を逸脱しない範囲で自由に変更、改良が可能である。
【図面の簡単な説明】
【００６３】
【図１】本発明の実施例に係るプロジェクタの外観を示す斜視図。
【図２】本発明の実施例に係るプロジェクタの機能回路ブロックを示す図。
【図３】本発明の実施例に係るプロジェクタの上面パネルを取り除いた平面図。
【図４】本発明の実施例に係る光源装置の平面図。
【図５】本発明の実施例に係る光源の中心近傍及び外縁近傍から導光装置へ照射される光線の光路を示す図。
【図６】本発明の実施例に係るダイクロイックミラーに入射される光線の光路を示す図。
【図７】本発明の実施例に係る導光装置の入射面における照度の状態を示す図。
【図８】本発明の実施例に係る調整装置による光源の移動及び回動の状態を示す図。
【符号の説明】
【００６４】
10  プロジェクタ                          11  上面パネル
12  前面パネル                            13  背面パネル
14  右側パネル                            15  左側パネル
17  排気孔                                18  吸気孔
19  レンズカバー                          20  各種端子
21  入出力コネクタ部                      22  入出力インターフェース
23  画像変換部                            24  表示エンコーダ
25  ビデオＲＡＭ                          26  表示駆動部
31  画像圧縮伸長部                        32  メモリカード
35  Ｉｒ受信部                            36  Ｉｒ処理部
37  キー／インジケータ部                  38  制御部
41  光源制御回路                          43  冷却ファン駆動制御回路
45  レンズモータ                          47  音声処理部
48  スピーカ                              51  表示素子
53  表示素子冷却装置                      61  光源側光学系
62  投影側光学系                          63  光源装置
74  光軸変更ミラー                        75  導光装置
77  光学ユニットブロック                  78  照明側ブロック
79  画像生成ブロック                      80  投影側ブロック
83  光源側レンズ群                        84  照射ミラー
86  光学系制御基板                        93  固定レンズ群
97  可動レンズ群
101  電源回路ブロック                     102  光源制御回路基板
103  制御回路基板                         110  ブロア
111  吸込み口                             113  吐出口
114  排気温低減装置                       120  区画用隔壁
121  吸気側空間室                         122  排気側空間室
141  ダイクロイックミラー                 141b 第一ダイクロイックミラー
141c 第二ダイクロイックミラー             142  反射ミラー
148  集光レンズ群                         148a 第一集光レンズ群
148b 第二集光レンズ群                     148c 第三集光レンズ群
151  光源                                 151R 赤色光源
151G 緑色光源                             151B 青色光源
163  集光レンズ                           163a 第一集光レンズ
163b 第二集光レンズ                       164  集光レンズ
L1   軸上上限光線                         L2   軸上下限光線
L3   軸外上限光線                         L4   軸外下限光線
L5   主光線
α１   Ｂ点に入射する軸上上限光線の入射角
α１’ Ｂ点に入射する軸外上限光線の入射角
α２   Ｃ点に入射する軸上下限光線の入射角
α２’ Ｃ点に入射する軸外下限光線の入射角
β１   Ｅ点に入射する軸上上限光線の入射角
β１’ Ｅ点に入射する軸外上限光線の入射角
β２   Ｆ点に入射する軸上下限光線の入射角
β２’ Ｆ点に入射する軸外下限光線の入射角
θ     光源の光軸とダイクロイックミラーのなす角
θ’   光源外縁近傍から射出されＡ、Ｄ点に入射する主光線の入射角
【図１】
2009237455.tif 000003
【図２】
2009237455.tif 000004
【図３】
2009237455.tif 000005
【図４】
2009237455.tif 000006
【図５】
2009237455.tif 000007
【図６】
2009237455.tif 000008
【図７】
2009237455.tif 000009
【図８】
2009237455.tif 000010